(57)【要約】【課題】アプリケーションによって作成されたファイル及び当該ファイルが属する使用階層の中からアクセス経過時間の短いファイルを検索して表示することにより、アプリケーションのアクセス対象となるファイルの選択を容易にすることが可能なファイル管理装置、ファイル管理方法及びプログラムを提供する。【解決手段】ファイル管理部２９は、最近使用フォルダ表示部４１、フォルダ選択部４２、最近使用ファイル表示部４３、ファイル表示部４４、アクセス対象ファイル選択部４５、ファイル取得部４６、最近使用フォルダ情報記憶部４７及び最近使用ファイル情報記憶部４８を備えることにより、フォルダを指定して、指定したフォルダの中から所望のファイルを選択して開く場合と、最近使用したファイル群の中から所望のファイルを選択して開く場合とにおいて、オペレータは同じ操作により所望のファイルを開くことができる。【選択図】図２
2008140291.tif 000002
【特許請求の範囲】
【請求項１】
アプリケーションを介して作成された１個または複数個のファイルの中から、前記アプリケーションのアクセス対象となる所望の前記ファイルを取得するファイル管理装置であって、
階層構造によって管理され、前記アプリケーションによってアクセスされた１個または複数個の前記ファイルが属する階層を使用階層とし、
前記アプリケーションによって前記ファイルがアクセスされた時刻からの経過時間をファイルアクセス経過時間とし、
前記アプリケーションによって前記使用階層に属する１個または複数個の前記ファイルの中で前記ファイルアクセス経過時間の最も短い前記ファイルの当該ファイルアクセス経過時間を階層アクセス経過時間としたときに、
前記アプリケーションによって既にアクセスされた前記ファイルが属する１個または複数個の前記使用階層の識別情報を、前記使用階層の前記階層アクセス経過時間の短い順に、多くとも所定の最近使用階層個数、表示する最近使用階層表示手段と、
前記階層構造で管理された複数個の前記階層の中から、または、前記最近使用階層表示手段によって表示された１個または複数個の前記使用階層の中から１個の選択階層を指定する階層選択手段と、
前記アプリケーションによって既にアクセスされた１個または複数個の前記ファイルの前記識別情報を、前記ファイルの前記ファイルアクセス経過時間の短い順に、多くとも所定の最近使用ファイル個数、表示する最近使用ファイル表示手段と、
前記階層選択手段によって指定された前記選択階層に属する、前記アプリケーションを介して作成された全ての前記ファイルの識別情報を表示するファイル表示手段と、
前記最近使用ファイル表示手段または前記ファイル表示手段によって表示された前記ファイルの前記識別情報の中から、前記アプリケーションのアクセス対象となる所望の前記ファイルの前記識別情報を指定するアクセス対象ファイル選択手段と、
前記アクセス対象ファイル選択手段によって指定された前記ファイルを取得するファイル取得手段と、
を備えていることを特徴とするファイル管理装置。
【請求項２】
前記最近使用ファイル表示手段または前記ファイル表示手段によって表示された前記ファイルの前記識別情報として、少なくともファイル名情報、プレビュー画像情報及びファイル属性情報が含まれていることを特徴とする請求項１に記載のファイル管理装置。
【請求項３】
前記最近使用階層表示手段は、
前記使用階層の前記識別情報を、前記使用階層の前記階層アクセス経過時間の短い順に、多くとも所定の前記最近使用階層個数分だけ、所定の最近使用階層情報記憶部に保存する最近使用階層保存手段と、
前記最近使用階層保存手段によって、所定の前記最近使用階層情報記憶部に保存された前記使用階層の前記識別情報の使用順番を、前記使用階層の前記階層アクセス経過時間の短い順に並べ替える階層並び替え手段と、
前記階層並び替え手段によって、並び替えられた前記使用階層の前記識別情報の前記使用順番に基づいて、前記使用階層の前記識別情報を表示する階層使用順表示手段と、
を備えていることを特徴とする請求項１に記載のファイル管理装置。
【請求項４】
前記最近使用ファイル表示手段は、
前記ファイルの前記識別情報を、前記ファイルの前記ファイルアクセス経過時間の短い順に、多くとも所定の前記最近使用ファイル個数だけ、所定の最近使用ファイル情報記憶部に保存する最近使用ファイル保存手段と、
前記最近使用ファイル保存手段によって、所定の前記最近使用ファイル情報記憶部に保存された前記ファイルの前記識別情報の使用順番を、前記ファイルの前記ファイルアクセス経過時間の短い順に並べ替えるファイル並び替え手段と、
前記ファイル並び替え手段によって、並び替えられた前記ファイルの前記識別情報の前記使用順番に基づいて、前記ファイルの前記識別情報を表示するファイル使用順表示手段と、
を備えていることを特徴とする請求項１または２に記載のファイル管理装置。
【請求項５】
前記ファイル表示手段は、前記選択階層に属するすべての前記ファイルの前記識別情報すべてを、表示することを特徴とする請求項１または２に記載のファイル管理装置。
【請求項６】
アプリケーションを介して作成された１個または複数個のファイルの中から、前記アプリケーションのアクセス対象となる所望の前記ファイルを取得するファイル管理方法であって、
階層構造によって管理され、前記アプリケーションによってアクセスされた１個または複数個の前記ファイルが属する階層を使用階層とし、
前記アプリケーションによって前記ファイルがアクセスされた時刻からの経過時間をファイルアクセス経過時間とし、
前記アプリケーションによって前記使用階層に属する１個または複数個の前記ファイルの中で前記ファイルアクセス経過時間の最も短い前記ファイルの当該ファイルアクセス経過時間を階層アクセス経過時間としたときに、
（ａ）前記アプリケーションによって既にアクセスされた前記ファイルが属する１個または複数個の前記使用階層の識別情報を、前記使用階層の前記階層アクセス経過時間の短い順に、多くとも所定の最近使用階層個数、表示する最近使用階層表示工程と、
（ｂ）前記階層構造で管理された複数個の前記階層の中から、または、前記最近使用階層表示工程（ａ）によって表示された１個または複数個の前記使用階層の中から１個の選択階層を指定する階層選択工程と、
（ｃ）前記アプリケーションによって既にアクセスされた１個または複数個の前記ファイルの前記識別情報を、前記ファイルの前記ファイルアクセス経過時間の短い順に、多くとも所定の最近使用ファイル個数、表示する最近使用ファイル表示工程と、
（ｄ）前記階層選択工程（ｂ）によって指定された前記選択階層に属する、前記アプリケーションを介して作成された全ての前記ファイルの識別情報を表示するファイル表示工程と、
（ｅ）前記最近使用ファイル表示工程（ｃ）または前記ファイル表示工程（ｄ）によって表示された前記ファイルの前記識別情報の中から、前記アプリケーションのアクセス対象となる所望の前記ファイルの前記識別情報を指定するアクセス対象ファイル選択工程と、
（ｆ）前記アクセス対象ファイル選択工程（ｅ）によって指定された前記ファイルを取得するファイル取得工程と、
を備えていることを特徴とするファイル管理方法。
【請求項７】
前記最近使用ファイル表示工程（ｃ）または前記ファイル表示工程（ｄ）によって表示された前記ファイルの前記識別情報として、少なくともファイル名情報、プレビュー画像情報及びファイル属性情報が含まれていることを特徴とする請求項６に記載のファイル管理方法。
【請求項８】
前記最近使用階層表示工程(ａ)は、
（ｇ）前記使用階層の前記識別情報を、前記使用階層の前記階層アクセス経過時間の短い順に、多くとも所定の前記最近使用階層個数分だけ、所定の最近使用階層情報記憶部に保存する最近使用階層保存工程と、
（ｈ）前記最近使用階層保存工程（ｇ）によって、所定の前記最近使用階層情報記憶部に保存された前記使用階層の前記識別情報の使用順番を、前記使用階層の前記階層アクセス経過時間の短い順に並べ替える階層並び替え工程と、
（ｉ）前記階層並び替え工程（ｈ）によって、並び替えられた前記使用階層の前記識別情報の前記使用順番に基づいて、前記使用階層の前記識別情報を表示する階層使用順表示工程と、
を備えていることを特徴とする請求項６に記載のファイル管理方法。
【請求項９】
前記最近使用ファイル表示工程（ｃ）は、
（ｊ）前記ファイルの前記識別情報を、前記ファイルの前記ファイルアクセス経過時間の短い順に、多くとも所定の前記最近使用ファイル個数だけ、所定の最近使用ファイル情報記憶部に保存する最近使用ファイル保存工程と、
（ｋ）前記最近使用ファイル保存工程（ｊ）によって、所定の前記最近使用ファイル情報記憶部に保存された前記ファイルの前記識別情報の使用順番を、前記ファイルの前記ファイルアクセス経過時間の短い順に並べ替えるファイル並び替え工程と、
（ｌ）前記ファイル並び替え工程（ｋ）によって、並び替えられた前記ファイルの前記識別情報の前記使用順番に基づいて、前記ファイルの前記識別情報を表示するファイル使用順表示工程と、
を備えていることを特徴とする請求項６または７に記載のファイル管理方法。
【請求項１０】
前記ファイル表示工程（ｄ）は、前記選択階層に属するすべての前記ファイルの前記識別情報を、表示することを特徴とする請求項６または７に記載のファイル管理方法。
【請求項１１】
アプリケーションを介して作成された１個または複数個のファイルの中から、前記アプリケーションのアクセス対象となる所望の前記ファイルを取得する処理をコンピュータに実行させるプログラムであって、
請求項１から６のいずれか１項に記載のファイル管理装置の各手段を実現させる処理を前記コンピュータに実行させることを特徴とするプログラム。
【発明の詳細な説明】
【技術分野】
【０００１】
本発明は、ファイル管理装置、ファイル管理方法及びプログラムに関する。特に、アプリケーションによって作成されたファイル及び当該ファイルが属する使用階層の中からアクセス経過時間の短いファイルを検索して表示することにより、アプリケーションのアクセス対象となるファイルの選択を容易にすることが可能なファイル管理装置、ファイル管理方法及びプログラムに関する。
【背景技術】
【０００２】
近時、個人情報や企業秘密等に対する機密保持管理の要請から、ＣＤ、ＤＶＤ等の光学記録媒体へのデータ記録を集中管理の要請や、デジタル音楽データまたはデジタル画像データの光学記録媒体への記録の要請が高まっている。また、該当配布用や展示会等で配布するために、１０〜１００枚程度の比較的少量の光学記録媒体の作成やダビングのニーズも多くなっている。
【０００３】
そのために、デジタルデータ、イメージデータ、音楽データ等の各種データを高速でＤＶＤ、ＣＤ等の光学記録媒体（各種メディア）に記録し、レーベル面に記録内容を印刷する装置が提案されている。例えば、ビジネス用途の記録媒体作成装置としては、未使用のＣＤを収納するフォルダと、ＣＤ記録部と、ラベルプリンタ部と、記録済ＣＤフォルダとを備えており、医療用画像をＣＤのような光学記録媒体に記録し、識別ラベルをレーベル面に印刷する記録媒体作成装置が開示されている（特許文献１参照）。
【特許文献１】特開２００２−５８６４９号公報
【発明の開示】
【発明が解決しようとする課題】
【０００４】
光学記録媒体に記録した各種データやレーベル面に印刷する印刷情報を、一度に編集せずに、何回かに分けて編集することがある。また、過去に作成した印刷情報などを参考に、一部情報を変更して新しく印刷情報を作成する場合等がある。このような場合に、参照したいデータが格納されているファイルを簡単に検索することが要求される。そこで、従来から、アプリケーションが以前に使用したファイルを検索して開くには、ファイルメニューにリストアップされた最近使用したファイルから選択したり、最後に開いたファイルをアプリケーション起動時に自動的に開いたりする方法が提案されている。
【０００５】
しかしながら、上述した方法は、通常のファイルを検索して開く操作とは異なる操作方法であるために、操作しづらいという問題点があった。また、途中から他の方法でファイルを検索して開こうとしたとき操作手順が判りづらくなってしまうという問題点があった。また、通常のファイルを検索して開く操作では、プレビューにより検索したファイルの内容を確認した後開く操作を実行するのに対し、上述した最近使用したファイルのリストから選択する場合は、プレビューが表示されずファイルを開けるまでファイルの内容を確認することができないという問題点もあった。
【０００６】
本発明は、以上のような問題点を解決するためになされたもので、アプリケーションによって作成されたファイル及び当該ファイルが属する使用階層の中からアクセス経過時間の短いファイルを検索して表示することにより、アプリケーションのアクセス対象となるファイルの選択を容易にすることが可能なファイル管理装置、ファイル管理方法及びプログラムを提供することを目的とする。
【課題を解決するための手段】
【０００７】
上述した従来の問題点を解決すべく下記の発明を提供する。
【０００８】
本発明の第１の態様にかかるファイル管理装置は、アプリケーションを介して作成された１個または複数個のファイルの中から、前記アプリケーションのアクセス対象となる所望の前記ファイルを取得するファイル管理装置であって、階層構造によって管理され、前記アプリケーションによってアクセスされた１個または複数個の前記ファイルが属する階層を使用階層とし、前記アプリケーションによって前記ファイルがアクセスされた時刻からの経過時間をファイルアクセス経過時間とし、前記アプリケーションによって前記使用階層に属する１個または複数個の前記ファイルの中で前記ファイルアクセス経過時間の最も短い前記ファイルの当該ファイルアクセス経過時間を階層アクセス経過時間としたときに、前記アプリケーションによって既にアクセスされた前記ファイルが属する１個または複数個の前記使用階層の識別情報を、前記使用階層の前記階層アクセス経過時間の短い順に、多くとも所定の最近使用階層個数、表示する最近使用階層表示手段と、前記階層構造で管理された複数個の前記階層の中から、または、前記最近使用階層表示手段によって表示された１個または複数個の前記使用階層の中から１個の選択階層を指定する階層選択手段と、前記アプリケーションによって既にアクセスされた１個または複数個の前記ファイルの前記識別情報を、前記ファイルの前記ファイルアクセス経過時間の短い順に、多くとも所定の最近使用ファイル個数、表示する最近使用ファイル表示手段と、前記階層選択手段によって指定された前記選択階層に属する、前記アプリケーションを介して作成された全ての前記ファイルの識別情報を表示するファイル表示手段と、前記最近使用ファイル表示手段または前記ファイル表示手段によって表示された前記ファイルの前記識別情報の中から、前記アプリケーションのアクセス対象となる所望の前記ファイルの前記識別情報を指定するアクセス対象ファイル選択手段と、前記アクセス対象ファイル選択手段によって指定された前記ファイルを取得するファイル取得手段と、を備えていることを特徴とする。
【０００９】
これにより、階層（例えば、フォルダ、ディレクトリ等）を指定して、指定した階層の中から所望のファイルを選択して開く場合と、最近使用したファイル群の中から所望のファイルを選択して開く場合とにおいて、オペレータは同じ操作により所望のファイルを開くことができる。そのため、オペレータは、１つの操作方法を覚えるだけで、所望のファイルを検索して開くことができる。
【００１０】
また、最近使用したファイルが属する使用階層群の中から、オペレータは所望のファイルを検索し開くことができる。即ち、使用頻度の高い階層群の中から階層を選択し、選択した階層の中から、オペレータは所望のファイルを検索し開くことができる。また、使用頻度の高いファイル群の中から、オペレータは所望のファイルを検索し開くことができる。
【００１１】
本発明の別の態様にかかるファイル管理装置は、本発明の第１の態様にかかるファイル管理装置において、前記最近使用ファイル表示手段または前記ファイル表示手段によって表示された前記ファイルの前記識別情報として、少なくともファイル名情報、プレビュー画像情報及びファイル属性情報が含まれていることを特徴とする。
【００１２】
これにより、最近使用したファイルであっても、ファイルを開く前に、プレビューによりファイルの内容を確認できる。これにより、ファイルへのアクセス回数を削減することができるとともに、所望のファイルを検索する時間を削減することができる。
【００１３】
本発明の別の態様にかかるファイル管理装置は、上述した本発明のいずれか１つの態様にかかるファイル管理装置の前記最近使用階層表示手段が、前記使用階層の前記識別情報を、前記使用階層の前記階層アクセス経過時間の短い順に、多くとも所定の前記最近使用階層個数分だけ、所定の最近使用階層情報記憶部に保存する最近使用階層保存手段と、前記最近使用階層保存手段によって、所定の前記最近使用階層情報記憶部に保存された前記使用階層の前記識別情報の使用順番を、前記使用階層の前記階層アクセス経過時間の短い順に並べ替える階層並び替え手段と、前記階層並び替え手段によって、並び替えられた前記使用階層の前記識別情報の前記使用順番に基づいて、前記使用階層の前記識別情報を表示する階層使用順表示手段と、を備えていることを特徴とする。
【００１４】
これにより、アプリケーションによりアクセスされたファイルが属する使用階層を、ファイルのアクセス経過時間の短い順に表示することができる。従って、用途別に階層を管理している場合、最近使用した階層を指定することにより、最近使用されたファイルと同じ用途のファイルを簡単に検索することができる。
【００１５】
本発明の別の態様にかかるファイル管理装置は、上述した本発明のいずれか１つの態様にかかるファイル管理装置の前記最近使用ファイル表示手段が、前記ファイルの前記識別情報を、前記ファイルの前記ファイルアクセス経過時間の短い順に、多くとも所定の前記最近使用ファイル個数だけ、所定の最近使用ファイル情報記憶部に保存する最近使用ファイル保存手段と、前記最近使用ファイル保存手段によって、所定の前記最近使用ファイル情報記憶部に保存された前記ファイルの前記識別情報の使用順番を、前記ファイルの前記ファイルアクセス経過時間の短い順に並べ替えるファイル並び替え手段と、前記ファイル並び替え手段によって、並び替えられた前記ファイルの前記識別情報の前記使用順番に基づいて、前記ファイルの前記識別情報を表示するファイル使用順表示手段と、を備えていることを特徴とする。
【００１６】
これにより、アプリケーションによりアクセスされたファイルを、ファイルのアクセス経過時間の短い順に表示することができる。従って、最近使用されたファイルを簡単に検索することができる。
【００１７】
本発明の別の態様にかかるファイル管理装置は、上述した本発明のいずれか１つの態様にかかるファイル管理装置の前記ファイル表示手段が、前記選択階層に属するすべての前記ファイルの前記識別情報を、表示することを特徴とする。
【００１８】
これにより、指定した階層や最近使用した階層に属するファイルを迅速に表示することができる。従って、最近使用されたファイルや同一分類のファイルを簡単に検索することができる。
【００１９】
本発明の第１の態様にかかるファイル管理方法は、アプリケーションを介して作成された１個または複数個のファイルの中から、前記アプリケーションのアクセス対象となる所望の前記ファイルを取得するファイル管理方法であって、階層構造によって管理され、前記アプリケーションによってアクセスされた１個または複数個の前記ファイルが属する階層を使用階層とし、前記アプリケーションによって前記ファイルがアクセスされた時刻からの経過時間をファイルアクセス経過時間とし、前記アプリケーションによって前記使用階層に属する１個または複数個の前記ファイルの中で前記ファイルアクセス経過時間の最も短い前記ファイルの当該ファイルアクセス経過時間を階層アクセス経過時間としたときに、（ａ）前記アプリケーションによって既にアクセスされた前記ファイルが属する１個または複数個の前記使用階層の識別情報を、前記使用階層の前記階層アクセス経過時間の短い順に、多くとも所定の最近使用階層個数、表示する最近使用階層表示工程と、（ｂ）前記階層構造で管理された複数個の前記階層の中から、または、前記最近使用階層表示工程（ａ）によって表示された１個または複数個の前記使用階層の中から１個の選択階層を指定する階層選択工程と、（ｃ）前記アプリケーションによって既にアクセスされた１個または複数個の前記ファイルの前記識別情報を、前記ファイルの前記ファイルアクセス経過時間の短い順に、多くとも所定の最近使用ファイル個数、表示する最近使用ファイル表示工程と、（ｄ）前記階層選択工程（ｂ）によって指定された前記選択階層に属する、前記アプリケーションを介して作成された全ての前記ファイルの識別情報を表示するファイル表示工程と、（ｅ）前記最近使用ファイル表示工程（ｃ）または前記ファイル表示工程（ｄ）によって表示された前記ファイルの前記識別情報の中から、前記アプリケーションのアクセス対象となる所望の前記ファイルの前記識別情報を指定するアクセス対象ファイル選択工程と、（ｆ）前記アクセス対象ファイル選択工程（ｅ）によって指定された前記ファイルを取得するファイル取得工程と、を備えていることを特徴とする。
【００２０】
これにより、上述した本発明の態様にかかるファイル管理装置と同等の効果が得られる。
【００２１】
本発明の別の態様にかかるファイル管理方法は、本発明の第１の態様にかかるファイル管理方法において、前記最近使用ファイル表示工程（ｃ）または前記ファイル表示工程（ｄ）によって表示された前記ファイルの前記識別情報として、少なくともファイル名情報、プレビュー画像情報及びファイル属性情報が含まれていることを特徴とする。
【００２２】
これにより、上述した本発明の態様にかかるファイル管理装置と同等の効果が得られる。
【００２３】
本発明の別の態様にかかるファイル管理方法は、上述した本発明のいずれか１つの態様にかかるファイル管理方法の前記最近使用階層表示工程(ａ)が、（ｇ）前記使用階層の前記識別情報を、前記使用階層の前記階層アクセス経過時間の短い順に、多くとも所定の前記最近使用階層個数分だけ、所定の最近使用階層情報記憶部に保存する最近使用階層保存工程と、（ｈ）前記最近使用階層保存工程（ｇ）によって、所定の前記最近使用階層情報記憶部に保存された前記使用階層の前記識別情報の使用順番を、前記使用階層の前記階層アクセス経過時間の短い順に並べ替える階層並び替え工程と、（ｉ）前記階層並び替え工程（ｈ）によって、並び替えられた前記使用階層の前記識別情報の前記使用順番に基づいて、前記使用階層の前記識別情報を表示する階層使用順表示工程と、を備えていることを特徴とする。
【００２４】
これにより、上述した本発明の態様にかかるファイル管理装置と同等の効果が得られる。
【００２５】
本発明の別の態様にかかるファイル管理方法は、上述した本発明のいずれか１つの態様にかかるファイル管理方法の前記最近使用ファイル表示工程（ｃ）が、（ｊ）前記ファイルの前記識別情報を、前記ファイルの前記ファイルアクセス経過時間の短い順に、多くとも所定の前記最近使用ファイル個数だけ、所定の最近使用ファイル情報記憶部に保存する最近使用ファイル保存工程と、（ｋ）前記最近使用ファイル保存工程（ｊ）によって、所定の前記最近使用ファイル情報記憶部に保存された前記ファイルの前記識別情報の使用順番を、前記ファイルの前記ファイルアクセス経過時間の短い順に並べ替えるファイル並び替え工程と、（ｌ）前記ファイル並び替え工程（ｋ）によって、並び替えられた前記ファイルの前記識別情報の前記使用順番に基づいて、前記ファイルの前記識別情報を表示するファイル使用順表示工程と、を備えていることを特徴とする。
【００２６】
これにより、上述した本発明の態様にかかるファイル管理装置と同等の効果が得られる。
【００２７】
本発明の別の態様にかかるファイル管理方法は、上述した本発明のいずれか１つの態様にかかるファイル管理方法の前記ファイル表示工程（ｄ）が、前記選択階層に属するすべての前記ファイルの前記識別情報を、表示することを特徴とする。
【００２８】
これにより、上述した本発明の態様にかかるファイル管理装置と同等の効果が得られる。
【００２９】
本発明の第１の態様にかかるプログラムは、アプリケーションを介して作成され１個または複数個のファイルの中から、前記アプリケーションのアクセス対象となる所望の前記ファイルを取得する処理をコンピュータに実行させるプログラムであって、上述した本発明のいずれか１つの態様にかかるファイル管理装置の各手段を実現させる処理を前記コンピュータに実行させることを特徴とするプログラム。
【００３０】
このような構成であれば、コンピュータによってプログラムが読み取られ、読み取られたプログラムによって、コンピュータが処理を実行すると、上述した本発明の態様にかかるファイル管理装置と同等の効果が得られる。
【発明の効果】
【００３１】
本発明によれば、階層（例えば、フォルダ、ディレクトリ等）を指定して、指定した階層の中から所望のファイルを選択して開く場合と、最近使用したファイル群の中から所望のファイルを選択して開く場合とにおいて、オペレータは同じ操作により所望のファイルを開くことができる。そのため、オペレータは、１つの操作方法を覚えるだけで、所望のファイルを検索して開くことができる。
【００３２】
また、最近使用したファイルが属する使用階層群の中から、オペレータは所望のファイルを検索し開くことができる。即ち、使用頻度の高い階層群の中から階層を選択し、選択した階層の中から、オペレータは所望のファイルを検索し開くことができる。また、使用頻度の高いファイル群の中から、オペレータは所望のファイルを検索し開くことができる。
【００３３】
また、最近使用したファイルであっても、ファイルを開く前に、プレビューによりファイルの内容を確認できる。これにより、ファイルへのアクセス回数を削減することができるとともに、所望のファイルを検索する時間を削減することができる。
【００３４】
また、アプリケーションによりアクセスされたファイルが属する使用階層を、ファイルのアクセス経過時間の短い順に表示することができる。従って、用途別に階層を管理している場合、最近使用した階層を指定することにより、最近使用されたファイルと同じ用途のファイルを簡単に検索することができる。
【００３５】
また、アプリケーションによりアクセスされたファイルを、ファイルのアクセス経過時間の短い順に表示することができる。従って、最近使用されたファイルを簡単に検索することができる。
【発明を実施するための最良の形態】
【００３６】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なもので置換した実施態様を採用することが可能であるが、これらの実施態様も本発明の範囲に含まれる。
【００３７】
図１は、本発明の一実施形態にかかるファイル管理部２９を備えた記録媒体作成制御装置１０及びこれにより制御される記録媒体作成装置９０を示す。図１においては、記録媒体作成制御装置１０は、ＰＣ又はサーバ等のホスト装置及びこれにインストールされているソフトウェアにより構成されている。ＰＣ等のホスト装置１０は、ＣＰＵ、ＲＡＭ・ＲＯＭ等のメモリ、論理回路等のハードウェアと、各種ソフトウェアとから構成されており、Ｗｉｎｄｏｗｓ（登録商標）等の各種汎用ＯＳで動作可能である。
【００３８】
記録媒体作成制御装置１０をより機能的なブロックに分解して説明すると、光学記録媒体を作成するための基本機能を提供するアプリケーション部２０と、アプリケーション部２０から受信したデータに従って、書込み情報、印刷情報、及び作成設定情報を作成し、一時保存するデータ変換部３０と、データ変換部３０からの制御信号に基づいて光学記録媒体を作成するための一連の動作処理をスケジューリングし、デバイス制御部５０の各ドライバの動作手順を制御する統合制御部４０と、記録媒体作成装置９０の動作を制御するための各種ドライバ及びＵＳＢインタフェース５４を含むデバイス制御部５０とから構成されている。
【００３９】
ここで、書込み情報は、光学記録媒体に書き込む情報であり、印刷情報は、光学記録媒体のレーベル面に印刷する情報であり、作成設定情報は命令要求の種類（書込み印刷要求、書込み要求、印刷要求の中のいずれか１つの要求）、光学記録媒体の作成枚数、形式等を設定した情報である。
【００４０】
記録媒体作成装置９０は、ＵＳＢハブ９１及びこれに接続される第１データ記録部９２及び第２データ記録部９３、記録媒体作成装置９０内の各部に光学記録媒体を搬送するオートローダ９４、及びプリンタ９５を備えており、同時に２つの光学記録媒体に対して書込処理が可能である。図１では、２つのデータ記録部と１つのプリンタを設けているが、更に多くのデータ記録部及びプリンタを設けて、より多くの並列処理を可能にするように構成しても良い。
【００４１】
ここで、書込み印刷要求の場合は、第１データ記録部９２または第２データ記録部９３によりデータ書込が終了した後に、プリンタ９５によりラベル印刷が実行される。また、プリンタ９５によりラベル印刷が終了した後に、第１データ記録部９２または第２データ記録部９３によりデータ書込を実行することも可能ではあるが、ラベル印刷処理に比較して、データ書込み処理によるエラーが重大であり、エラー発生頻度も高いことから、データ書込み処理を先に実行した方がより良い。
【００４２】
始めに、記録媒体作成制御装置１０の各部の機能を簡単に説明した上で、光学記録媒体の作成手順を説明する。まず、アプリケーション部２０は、ファイル管理部２９を介して、希望する書込みデータが保存されているデータファイルの指定、ラベル印刷内容や形式の指定等を行うためのユーザインタフェースを提供する。ここで、本発明の一実施形態にかかるファイル管理装置は、ファイル管理部２９に対応する。
【００４３】
図１に示した例においては、セットアップ部２１は、記録媒体作成装置９０の仕様（有効な記録媒体作成装置９０内の各部を指定する情報）を初期設定する機能を提供し、モニター部２２は、記録媒体作成装置９０内の各部の動作状態を示す装置状態情報を表示して、確認する機能を提供する。ディスク作成部２３は、ディスクエディタ部２５、パブリッシャ部２６及びラベルエディタ部２７を備えており、記録内容の編集、作成設定情報の編集、及びラベル印刷の編集を行う。ラベル印刷の編集にはテンプレート部２４に記憶されているテンプレートを利用することが可能である。一般アプリケーション部２８は、ラベル印刷の命令要求するディスク作成部２３とは異なる機能である。
【００４４】
アプリケーション部２０により編集された内容はデータ変換部３０に出力され、ディスクライブラリ３１を介して生成された書込み情報３２、及び、プリンタドライバ６０のグラフィックデバイスインターフェース（ＧＤＩ）６１を介して生成された印刷情報３３は、命令要求の種類に基づいて、一時記憶部３４に要求ジョブが終了するまで一時記憶される。
【００４５】
統合制御部４０は、一時記憶部３４に記憶されている要求ジョブを実行するために、各デバイスの処理手順を制御する。統合制御部４０は、一時記憶部３４に記憶された要求ジョブを実行するための記録媒体作成装置９０の各デバイス９２〜９５の動作手順を計画し、動作手順を示す動作スケジュールを作成する。また、統合制御部４０は、デバイス制御部５０を介して各デバイス９２〜９５から取得した各デバイスの動作状態を示す装置状態情報、及び、動作スケジュールに基づいて、デバイス制御部５０を介して各デバイス９２〜９５動作を制御する。
【００４６】
具体的には、統合制御部４０は、装置状態情報及び動作スケジュールに基づいて、データ記録部ドライバ５１、オートローダドライバ５３及び印刷入出力制御部６２に対して、各デバイス９２〜９５の動作命令を出力して、データ記録部ドライバ５１、オートローダドライバ５３及びプリンタドライバ６０の印刷入出力制御部６２によって各デバイス９２〜９５の動作を制御させる。
【００４７】
これにより、要求ジョブ毎に未記録の光学記録媒体の取り出し、光学記録媒体の搬送、データ書込、ラベル印刷等の処理、記録済み光学記録媒体の搬送等を、各デバイス９２〜９５の動作が互いに干渉することなく実行できるように、各デバイス９２〜９５の動作を制御させることが可能である。また、複数の光学記録媒体の作成処理を、リソースを効率良く利用ながら混乱することなく順次遂行させることが可能である。
【００４８】
更に、データ記録部ドライバ５１は、統合制御部４０からの動作命令のみを有効な命令として選択するフィルタドライバ５２を備え、統合制御部４０以外からの第１データ記録部９２または第２データ記録部９３への動作命令を受け付けないようにしている。
【００４９】
次に、図２から図９を用いて、本発明にかかるファイル管理装置について説明する。図２は、ファイル管理部２９の一実施形態にかかる機能ブロック図の一例である。図２では、本発明に関連する部分の機能のみを示している。ファイル管理部２９は、最近使用フォルダ表示部４１、フォルダ選択部４２、最近使用ファイル表示部４３、ファイル表示部４４、アクセス対象ファイル選択部４５、ファイル取得部４６、最近使用フォルダ情報記憶部４７及び最近使用ファイル情報記憶部４８を備えている。
【００５０】
以下、ファイルを階層構造によって管理したとき、ファイルが属する階層をフォルダと呼ぶ。また、ファイルアクセス経過時間とは、ファイルがディスク作成部２３によってアクセスされた時刻からの経過時間を表し、フォルダアクセス経過時間とは、フォルダに属する１個または複数個のファイルの中で最もファイルアクセス経過時間の短いファイルのファイルアクセス経過時間を示す。
【００５１】
最近使用フォルダ表示部４１は、ディスク作成部２３によって記録内容の編集、作成設定情報の編集、及びラベル印刷の編集された各種情報を保存したファイルが属するフォルダの識別情報を、フォルダアクセス経過時間の短い順に、多くとも所定の最近使用フォルダ個数分、表示する。また、最近使用フォルダ表示部４１は、更に、最近使用フォルダ保存部４１ａ、フォルダ並び替え部４１ｂ、及びフォルダ使用順表示部４１ｃを備えている。ここで、識別情報とは、フォルダ名とパス情報である。
【００５２】
最近使用フォルダ保存部４１ａは、ディスク作成部２３によってアクセスされたファイルが属するフォルダの識別情報を、フォルダアクセス経過時間の短い順に、多くとも所定の最近使用フォルダ個数分だけ、最近使用フォルダ情報記憶部４７に保存する。
【００５３】
フォルダ並び替え部４１ｂは、最近使用フォルダ情報記憶部４７に保存されているフォルダの識別情報の使用順番を示すフォルダ使用リストを、フォルダアクセス経過時間の短い順に並べ替えて、最近使用フォルダ情報記憶部４７に保存する。フォルダ使用順表示部４１ｃは、フォルダ並び替え部４１ｂによって並べ替えたフォルダ使用リストに基づいて、フォルダの識別情報をフォルダアクセス経過時間の短い順に表示する。
【００５４】
フォルダ選択部４２は、ディスク作成部２３によってアクセスする、即ち、開くファイルが属するフォルダを、階層構造に基づいて全てのフォルダの中から指定する。または、フォルダ選択部４２は、最近使用フォルダ表示部４１に表示されたフォルダの中から、開くファイルが属するフォルダを指定する。または、フォルダではなく、“最近使用したファイル”というカテゴリを指定する。
【００５５】
最近使用ファイル表示部４３は、ディスク作成部２３によって記録内容の編集、作成設定情報の編集、及びラベル印刷の編集された各種情報を保存したファイルの識別情報を、ファイルアクセス経過時間の短い順に、多くとも所定の最近使用ファイル個数分、表示する。また、最近使用ファイル表示部４３は、更に、最近使用ファイル保存部４３ａ、ファイル並び替え部４３ｂ、及びファイル使用順表示部４３ｃを備えている。ここで、識別情報とは、ファイル名、プレビュー画像情報、属性情報及びパス情報である。
【００５６】
最近使用ファイル保存部４３ａは、ディスク作成部２３によってアクセスされたファイルの識別情報を、ファイルアクセス経過時間の短い順に、多くとも所定の最近使用ファイル個数分だけ、最近使用ファイル情報記憶部４８に保存する。
【００５７】
ファイル並び替え部４３ｂは、最近使用ファイル情報記憶部４８に保存されているファイルの識別情報の使用順番を示すファイル使用リストを、ファイルアクセス経過時間の短い順に並べ替えて、最近使用ファイル情報記憶部４８に保存する。ファイル使用順表示部４３ｃは、ファイル並び替え部４３ｂによって並べ替えたファイル使用リストに基づいて、ファイルの識別情報をファイルアクセス経過時間の短い順に表示する。
【００５８】
ファイル表示部４４は、フォルダ選択部４２によって指定されたフォルダに属する、ディスク作成部２３によって作成されたファイルの識別情報を表示する。ここで、指定されたフォルダに属するディスク作成部２３によって作成されたファイルの識別情報を、ファイルアクセス経過時間の短い順に表示しても良い。
【００５９】
アクセス対象ファイル選択部４５は、最近使用ファイル表示部４３またはファイル表示部４４によって表示されたファイルの識別情報の中から、ディスク作成部２３のアクセス対象となるファイルを指定する。
【００６０】
ファイル取得部４６は、アクセス対象ファイル選択部４５によって指定されたファイルを取得する。即ち、指定したファイルを開く。
【００６１】
次に、図３から図８を参照して、最近使用フォルダ表示部４１、フォルダ選択部４２、最近使用ファイル表示部４３、ファイル表示部４４、アクセス対象ファイル選択部４５、及びファイル取得部４６を説明する
図３は、アクセス対象となるファイルが属するフォルダの検索方法を説明するための図の一例である。図３に示すように、ファイル検索画面７０のフォルダ表示領域７１に、最近使用フォルダ表示部４１によって、「最近使用したファイル」及びディスク作成部２３によってアクセスされたファイルが属するフォルダの識別情報が表示される。ここで、フォルダは、フォルダアクセス経過時間の短い順に、多くとも所定の最近使用フォルダ個数、表示される。図３では、「最近使用したファイル」、「Ｃ：￥ＥＰＳＯＮ￥フォルダ１」、「Ｃ：￥ＥＰＳＯＮ￥フォルダ２」、「Ｃ：￥ＥＰＳＯＮ￥フォルダ３」及び、「Ｃ：￥ＥＰＳＯＮ￥フォルダ４」が表示されている。「Ｃ：￥ＥＰＳＯＮ￥フォルダ３」、「Ｃ：￥ＥＰＳＯＮ￥フォルダ２」、「Ｃ：￥ＥＰＳＯＮ￥フォルダ１」、及び「Ｃ：￥ＥＰＳＯＮ￥フォルダ４」は、フォルダアクセス経過時間の短い順となっている。
【００６２】
また、ファイル検索画面７０のフォルダ階層検索領域７３は、階層構造に基づいてフォルダ検索するための指定領域である。また、ファイル検索画面７０のフォルダ指定領域７２には、アクセス対象となるファイルが属するフォルダを指定する。例えば、フォルダ表示領域７１に表示されている「最近使用したファイル」及びフォルダの中から選択した、「最近使用したファイル」またはフォルダを設定する。または、フォルダ指定領域７２には、フォルダ階層検索領域７３を指定して検索したフォルダを設定する。図３では、「最近使用したファイル」が設定されている。
【００６３】
図４は、「最近使用したファイル」に属するファイルの識別情報の表示画面の一例である。図４に示すように、図３でフォルダ指定領域７２に「最近使用したファイル」を設定したとき、最近使用ファイル表示部４３により、ファイルアクセス経過時間の短い順に、ファイルの識別情報が、ファイル検索画面７０のファイル表示領域７４に表示される。図４では、識別情報として、プレビュー画像、ファイル名、ボリュームラベル名、書込みデータの種類及び更新日時が表示されている。ファイル表示領域７４に表示されているファイルの中から、アクセス対象となるファイルを指定する。
【００６４】
図５は、アクセス対象となるファイルの指定画面の一例である。図５に示すように、図４で上から２番目のファイル名「２００６１１１６ＤＡＴＡ２．ｅｄｐ」を指定すると、最近使用ファイル表示部４３により、指定されたファイルの識別情報表示領域７５が反転表示される。 カーソルをファイル表示領域７４に表示されたファイルに合わせると、ファイルのパス情報７６が表示される。ＯＫボタン７７を指定すると、アクセス対象ファイル選択部４５により、アクセス対象となるファイルが指定される。
【００６５】
図６は、アクセス対象となるファイルが開かれた状態画面の一例である。図６に示すように、図５で指定された「２００６１１１６ＤＡＴＡ２．ｅｄｐ」を、ファイル取得部４６により取得し、ディスク作成部２３により画面上にファイル情報が展開される。
【００６６】
また、図７は、「Ｃ：￥ＥＰＳＯＮ￥フォルダ１」に属するファイルの識別情報の表示画面の一例である。図６に示すように、図３でフォルダ指定領域７２に「Ｃ：￥ＥＰＳＯＮ￥フォルダ１」を設定したとき、ファイル表示部４４により、「Ｃ：￥ＥＰＳＯＮ￥フォルダ１」に属するファイルの識別情報が、ファイル検索画面７０のファイル表示領域７４に表示される。図６では、識別情報として、プレビュー画像、ファイル名、ボリュームラベル名、書込みデータの種類及び更新日時が表示されている。ファイル表示領域７４に表示されているファイルの中から、図５と同様に、アクセス対象となるファイルを指定する。
【００６７】
また、図８は、フォルダ階層検索領域７３の指定によるフォルダ検索画面の一例である。図８に示すように、階層構造で管理されているフォルダの中から、アクセス対象となるファイルが属するフォルダを検索し指定する。これにより、図４と同様に、指定されたフォルダに属するファイルの識別情報が表示され、図５と同様に、アクセス対象となるファイルが指定される。
【００６８】
次に、フォルダアクセス経過時間順にフォルダの識別情報を表示したり、ファイルアクセス経過時間順にファイルの識別情報を表示したりするために、フォルダの識別情報及びファイルの識別情報を最近使用フォルダ情報記憶部４７及び最近使用ファイル情報記憶部４８へ保存する処理手順について説明する。図９は、フォルダの識別情報及びファイルの識別情報の保存処理手順を示すフローチャートの一例である。
【００６９】
図９に示すように、まず、アクセス対象となるファイルが属するフォルダが選択される（Ｓ１０１）。次に、選択されたフォルダ（以下、選択対象フォルダと呼ぶ）に属するアクセス対象となるファイルが選択される（Ｓ１０２）。選択されたファイル（以下、選択対象ファイルと呼ぶ）の識別情報を最近使用ファイル情報記憶部４８に保存し、選択対象フォルダの識別情報を最近使用フォルダ情報記憶部４７に保存する（Ｓ１０３）。このとき、同一のフォルダまたは同一のファイルが最近使用フォルダ情報記憶部４７または最近使用ファイル情報記憶部４８に存在する場合は、上書きする。
【００７０】
次に、フォルダ使用リストに選択対象フォルダが存在するか否かを判定する（Ｓ１０４）。フォルダ使用リストに選択対象フォルダが存在する場合（Ｓ１０４；Ｙｅｓ）は、フォルダ使用リストの先頭に、即ち、フォルダアクセス経過時間の短い順の先頭に、選択対象フォルダのフォルダパス情報を移動する（Ｓ１０５）。一方、フォルダ使用リストに選択対象フォルダが存在しない場合（Ｓ１０４；Ｎｏ）は、フォルダ使用リストの先頭に、即ち、フォルダアクセス経過時間の短い順の先頭に、選択対象フォルダのフォルダパス情報を追加する（Ｓ１０６）。
【００７１】
次に、フォルダ使用リストに格納されているフォルダの個数が、予め設定されている最近使用フォルダ個数以上であるか否かを判定し（Ｓ１０７）、フォルダ使用リストに格納されているフォルダの個数が、最近使用フォルダ個数以上である場合（Ｓ１０７；Ｙｅｓ）は、フォルダ使用リストの最後尾のフォルダのフォルダパス情報を、フォルダ使用リストから削除するとともに、そのフォルダの識別情報を最近使用フォルダ情報記憶部４７から削除する（Ｓ１０８）。
【００７２】
次に、ファイル使用リストに選択対象ファイルが存在するか否かを判定する（Ｓ１０９）。ファイル使用リストに選択対象ファイルが存在する場合（Ｓ１０９；Ｙｅｓ）は、ファイル使用リストの先頭に、即ち、ファイルアクセス経過時間の短い順の先頭に、選択対象ファイルのファイルパス情報を移動する（Ｓ１１０）。一方、ファイル使用リストに選択対象ファイルが存在しない場合（Ｓ１１０；Ｎｏ）は、ファイル使用リストの先頭に、即ち、ファイルアクセス経過時間の短い順の先頭に、選択対象ファイルのファイルパス情報を追加する（Ｓ１１１）。
【００７３】
次に、ファイル使用リストに格納されているファイルの個数が、予め設定されている最近使用ファイル個数以上であるか否かを判定し（Ｓ１１２）、フォルダ使用リストに格納されているフォルダの個数が、最近使用ファイル個数以上である場合（Ｓ１１２；Ｙｅｓ）は、ファイル使用リストの最後尾のファイルのファイルパス情報を、ファイル使用リストから削除するとともに、そのファイルの識別情報を最近使用ファイル情報記憶部４８から削除し（Ｓ１１３）、処理を終了する。
【００７４】
上述の最近使用フォルダ情報記憶部４７及び最近使用ファイル情報記憶部４８には、フォルダの識別情報及びファイルの識別情報が格納されているように記述されているが、フォルダ使用リスト及びファイル使用リストが保存されるようにしても良い。このとき、表示されるファイルの識別情報は、ファイル使用リストに基づいて、ファイルを検索して識別情報を取得する。
【００７５】
また、上述したファイル管理部２９は本発明のファイル管理装置に対応し、最近使用フォルダ表示部４１は本発明の最近使用階層表示手段に対応し、フォルダ選択部４２は本発明の階層選択手段に対応し、最近使用ファイル表示部４３は本発明の最近使用ファイル表示手段に対応し、ファイル表示部４４は本発明のファイル表示手段に対応し、アクセス対象ファイル選択部４５は本発明のアクセス対象ファイル選択手段に対応し、ファイル取得部４６は本発明のファイル取得手段に対応し、最近使用フォルダ保存部４１ａは本発明の最近使用階層保存手段に対応し、フォルダ並び替え部４１ｂは本発明の階層並び替え手段に対応し、フォルダ使用順表示部４１ｃは本発明の階層使用順表示手段に対応し、最近使用ファイル保存部４３ａは本発明の最近使用ファイル保存手段に対応し、ファイル並び替え部４３ｂは本発明のファイル並び替え手段に対応し、ファイル使用順表示部４３ｃは本発明のファイル使用順表示手段に対応する。
【図面の簡単な説明】
【００７６】
【図１】本発明の一実施形態にかかるファイル管理部２９を備えた記録媒体作成制御装置１０及びこれにより制御される記録媒体作成装置９０を示す。
【図２】ファイル管理部２９の一実施形態にかかる機能ブロック図の一例である。
【図３】アクセス対象となるファイルが属するフォルダの検索方法を説明するための図の一例である。
【図４】「最近使用したファイル」に属するファイルの識別情報の表示画面の一例である。
【図５】アクセス対象となるファイルの指定画面の一例である。
【図６】アクセス対象となるファイルが開かれた状態画面の一例である。
【図７】「Ｃ：￥ＥＰＳＯＮ￥フォルダ１」に属するファイルの識別情報の表示画面の一例である。
【図８】フォルダ階層検索領域７３の指定によるフォルダ検索画面の一例である。
【図９】フォルダの識別情報及びファイルの識別情報の保存処理手順を示すフローチャートの一例である。
【符号の説明】
【００７７】
１０    記録媒体作成制御装置
２９    ファイル管理部
４１    最近使用フォルダ表示部
４１ａ    最近使用フォルダ保存部
４１ｂ    フォルダ並び替え部
４１ｃ    フォルダ使用順表示部
４２    フォルダ選択部
４３    最近使用ファイル表示部
４３ａ    最近使用ファイル保存部
４３ｂ    ファイル並び替え部
４３ｃ    ファイル使用順表示部
４４    ファイル表示部
４５    アクセス対象ファイル選択部
４６    ファイル取得部
４７    最近使用フォルダ情報記憶部
４８    最近使用ファイル情報記憶部
９０    記録媒体作成装置
【図１】
2008140291.tif 000003
【図２】
2008140291.tif 000004
【図３】
2008140291.tif 000005
【図４】
2008140291.tif 000006
【図５】
2008140291.tif 000007
【図６】
2008140291.tif 000008
【図７】
2008140291.tif 000009
【図８】
2008140291.tif 000010
【図９】
2008140291.tif 000011